(57)【要約】【課題】フィラーキャップを給油時に確実に保持することにより、落下させて紛失させたり、汚したりするトラブルを解消することのできる建設機械を提供する。【解決手段】燃料タンク１に設けられた給油口５の近傍に配置された部材に、燃料タンク１の給油口５から取り外されたフィラーキャップ４と係合してそのフィラーキャップ４を保持し得るフィラーキャップ受け部８を設けた。【選択図】      図１
2004299414.tif 000002
【特許請求の範囲】
【請求項１】
燃料タンクの給油口の近傍に配置された部材に、上記燃料タンクの給油口から取り外されたフィラーキャップを保持し得るフィラーキャップ受け部が設けられたことを特徴とする建設機械。
【請求項２】
上記燃料タンクの上面をカバーする天板の縁部に、上記フィラーキャップ受け部としての切り欠き部が設けられたことを特徴とする請求項１記載の建設機械。
【請求項３】
上記燃料タンクのタンク上面をカバーする天板の縁部にブラケットが設けられ、このブラケットに上記フィラーキャップ受け部が設けられたことを特徴とする請求項１記載の建設機械。
【請求項４】
上記ブラケットに、上記フィラーキャップ受け部としての切り欠き部が設けられたことを特徴とする請求項３記載の建設機械。
【請求項５】
上記燃料タンクが収容されたタンク収容部と、このタンク収容部を開閉する燃料タンクカバーと、この燃料タンクカバーを開き状態に保持する保持ロッドとを有し、この保持ロッドが上記ブラケットに回動可能に取り付けられてロッド支持機構が構成されたことを特徴とする請求項３または請求項４に記載の建設機械。
【請求項６】
上記燃料タンクが収容されたタンク収容部と、このタンク収容部を開閉する燃料タンクカバーとを有し、上記ブラケットは、上記フィラーキャップ受け部に保持されたフィラーキャップが、上記燃料タンクカバーの閉じ動作を阻止する状態で設けられたことを特徴とする請求項３ないし請求項５のいずれかに記載の建設機械。
【請求項７】
上記部材として、上記建設機械本体の後端に取り付けられるカウンターウェイトを有し、上記フィラーキャップ受け部は、そのカウンターウェイトに一体成形されていることを特徴とする請求項１記載の建設機械。
【発明の詳細な説明】
【０００１】
【発明の属する技術分野】
本発明は、給油時に燃料タンクのフィラーキャップを保持しておくことのできる建設機械に関するものである。
【０００２】
【従来の技術】
従来、建設機械の燃料タンクとしては、例えば、特許文献１に開示されているような構造の燃料タンクが使用されている。これらの燃料タンクへの給油は現場で行われることが多かったが、建設機械の周囲には燃料タンクのフィラーキャップの置き場所が無いため、フィラーキャップを手に持って給油するか、給油口周辺の不安定な機器類の上に無造作に置いて給油するしかなく、振動等でフィラーキャップが、機器類の隙間に落ちたり、紛失したりすることが多かった。
【０００３】
そこで、燃料タンクのフィラーキャップの落下や紛失を防止する対策として、燃料タンクとフィラーキャップとを鎖で連結することが一般に行われている。
【０００４】
【特許文献１】
特開平９−６１２１９号公報
【０００５】
【発明が解決しようとする課題】
しかしながら、燃料タンクとフィラーキャップとを連結する鎖は、使用状態によっては、切断する恐れがあり、しかもフィラーキャップを回転する都合上、キャップ内面にしか取り付けることができないため、万一、切れてしまうと鎖が燃料タンク内に落ちて取り出すことができなくなるなど、フィラーキャップを建設機械の内部に落下させて紛失させたり、地面に落下させて汚したりするという不具合があった。
【０００６】
本発明は上記不具合に鑑みてなされたものであり、フィラーキャップを給油時に確実に保持することにより、落下させて紛失させたり、汚したりするトラブルを解消することのできる建設機械を提供することを課題としている。
【０００７】
【課題を解決するための手段】
上記課題を解決するための本発明は、燃料タンクの給油口の近傍に配置された部材に、上記燃料タンクの給油口から取り外されたフィラーキャップを保持し得るフィラーキャップ受け部が設けられたことを特徴とする建設機械である。
【０００８】
本発明によれば、燃料タンクの給油口の近傍に配置された部材に設けられたフィラーキャップ受け部に、フィラーキャップを保持するので、フィラーキャップを建設機械の内部に落下させて紛失させたり、地面に落下させて汚したりすることを防止することができる。
【０００９】
ここで、本発明に係る建設機械は、上記燃料タンクの上面をカバーする天板の縁部に、上記フィラーキャップ受け部としての切り欠き部が設けられたものであることが好ましい。
【００１０】
この好ましい態様によれば、燃料タンクの天板の縁部に設けられた切り欠き部に、フィラーキャップを係合して保持するので、燃料タンク、その他に新たな部材を追加することなく安価に建設機械を実現することができる。
【００１１】
本発明に係る建設機械は、また、上記燃料タンクのタンク上面をカバーする天板の縁部にブラケットが設けられ、このブラケットに上記フィラーキャップ受け部が設けられたものであることが好ましい。
【００１２】
この好ましい態様によれば、燃料タンクの天板の縁部にブラケットが設けられ、このブラケットにフィラーキャップ受け部が設けられているので、天板の縁部のスペースに建設機械を設ける余裕がない場合でも安価なブラケットを追加するだけで、その他の新たな部材を追加することなく建設機械を実現することができる。
【００１３】
そして、本発明に係る建設機械は、上記ブラケットに、上記フィラーキャップ受け部としての切り欠き部が設けられたものであることが好ましい。
【００１４】
この好ましい態様によれば、ブラケットに設けられた切り欠き部に、フィラーキャップを係合して保持するので、ブラケットに新たな部材を追加することなく安価に建設機械を実現することができる。
【００１５】
また、本発明に係る建設機械は、上記燃料タンクが収容されたタンク収容部と、このタンク収容部を開閉する燃料タンクカバーと、この燃料タンクカバーを開き状態に保持する保持ロッドとを有し、この保持ロッドが上記ブラケットに回動可能に取り付けられてロッド支持機構が構成されたものであることが好ましい。
【００１６】
この好ましい態様によれば、燃料タンクカバーを開き状態に保持する保持ロッドがブラケットに回動可能に取り付けられるので、保持ロッドを操作して燃料タンクカバーを閉める際に、ブラケットの建設機械にフィラーキャップが残っているかどうかを確認することができる結果、フィラーキャップの燃料タンクへの装着忘れを未然に防止することができる。
【００１７】
また、本発明に係る建設機械は、上記燃料タンクが収容されたタンク収容部と、このタンク収容部を開閉する燃料タンクカバーとを有し、上記ブラケットは、上記フィラーキャップ受け部に保持されたフィラーキャップが、上記燃料タンクカバーの閉じ動作を阻止する状態で設けられたものであることが好ましい。
【００１８】
この好ましい態様によれば、フィラーキャップ受け部に保持されたフィラーキャップが、燃料タンクカバーの閉じ動作を阻止することによりフィラーキャップの燃料タンクへの装着忘れを表示するので、フィラーキャップの燃料タンクへの装着忘れを未然に防止することができる。
【００１９】
また、本発明に係る建設機械は、上記部材として、上記建設機械本体の後端に取り付けられるカウンターウェイトを有し、上記フィラーキャップ受け部は、そのカウンターウェイトに一体成形されていることが好ましい。
【００２０】
この好ましい態様によれば、フィラーキャップ受け部が、建設機械本体の後端に取り付けられるカウンターウェイトに一体成形されているので、カウンターウェイトの鋳型を変更するだけで、燃料タンク、その他に新たな部材を追加することなく安価に建設機械を実現することができる。
【００２１】
【発明の実施の形態】
以下、添付図面を参照しながら本発明の好ましい実施の一形態について詳述する。図１は本発明の第一の実施形態に係る建設機械１０の構成を示す斜視図であり、図２は本発明の第一の実施形態に係る建設機械１０の燃料タンク１に設けられたフィラーキャップ受け部８の構成を示す斜視図である。また、図３は本発明の実施の形態に係る建設機械１０のフィラーキャップ４の構成を示す説明図であり、（ａ）は、上面図、（ｂ）は、側断面図をそれぞれ示している。
【００２２】
これらの図を参照して、本発明の第一の実施形態に係る建設機械１０は、小型の油圧ショベルとして、下部走行体１０ａ上に上部旋回体１０ｂが旋回自在に搭載されて構成され、上部旋回体１０ｂの左側に運転席１０ｃが配置されるとともに、運転席１０ｃの右側に、エンジン燃料を貯留する燃料タンク１と、この燃料タンク１が収容されたタンク収容部２と、このタンク収容部２の上面側を開閉する燃料タンクカバー３とが配置されている。
【００２３】
上記フィラーキャップ４は、燃料タンク１の給油口５に装着されたフィラーキャップで、図３（ａ）、（ｂ）に詳細を示すように、装着状態でロックするためのロック機構（図示しない）に設けられる鍵穴４ａと、作業者が回動操作するための外周リング４ｂと、給油口５にねじ込むためのねじ部４ｃとを備え、ロック解除状態で給油口５から取り外される。
【００２４】
このフィラーキャップ４を取り外し状態で紛失等しないように保持する手段として、フィラーキャップ４の近傍に配置される部材である燃料タンク１の天板７にフィラーキャップ受け部８が設けられている。
【００２５】
このフィラーキャップ受け部８は、天板７の縁部に、フィラーキャップ４の外周リング４ｂに対応する形状の切り欠き部として形成され、図４、図５に示すように、フィラーキャップ４を給油口５から取り外した状態でその外周リング４ｂをフィラーキャップ受け部８に係合させることにより、フィラーキャップ４を天板７に保持し得るように構成されている。
【００２６】
こうすれば、フィラーキャップ４を建設機械１０の内部に落下させて紛失したり、地面に落下させて汚したりするおそれがなくなる。
【００２７】
また、燃料タンク１の天板７の縁部にフィラーキャップ受け部８を切り欠き部として形成するだけでよいため、その他に新たな部材を追加する必要がなく、コストが安くてすむ。
【００２８】
ここで、フィラーキャップ受け部８は、天板７における燃料タンクカバー３の開閉支点（運転席１０ｃ側）と反対側の縁部に設けられ、図７（ａ）、（ｂ）に示すように、フィラーキャップ４をフィラーキャップ受け部８に係合保持した状態で燃料タンクカバー３を閉じようとしても、フィラーキャップ４が同カバー３と干渉して、その閉止を阻止するようになっている。
【００２９】
これにより、フィラーキャップ４の給油口５への戻し忘れが確実に防止される。
【００３０】
なお、フィラーキャップ受け部８は、図６に示すように、側方に開放した切り欠き部として形成してもよい。
【００３１】
次に、図８は本発明の第二の実施形態に係る建設機械２０を示す斜視図である。以下、第１の実施の形態に係る建設機械１０と同一の部分については同一の符号を付し、重複する説明は省略するものとする。
【００３２】
図８を参照して、図示の第二の実施形態に係る建設機械２０は、燃料タンク１のタンク上面をカバーする天板７の縁部に、曲折した鋼板からなるブラケット２１が溶接され、このブラケット２１にフィラーキャップ受け部８としての切り欠き部が設けられている。また、燃料タンクカバー３を開き状態に保持する保持ロッド２２と、この保持ロッド２２をブラケット２１に回動可能に取り付けられるロッド支持機構２３とが設けられている。
【００３３】
なお、第二の実施形態に係る建設機械２０の作用は、第一の実施形態に係るフィラーキャップ受け部８およびフィラーキャップ４の作用と同様であるが、この第二の実施形態に係る建設機械２０によれば、特に燃料タンク１のタンク上面をカバーする天板７の縁部にブラケット２１が設けられ、このブラケット２１にフィラーキャップ受け部８が設けられているので、天板７の縁部のスペースにフィラーキャップ受け部８を設ける余裕がない場合でも安価なブラケット２１を追加するだけで、その他の新たな部材を追加することなくフィラーキャップ受け部８を実現することができる。
【００３４】
また、この第二の実施形態に係る建設機械２０によれば、ロッド支持機構２３により、燃料タンクカバー３を開き状態に保持する保持ロッド２２がブラケット２１に回動可能に取り付けられるので、保持ロッド２２を操作して燃料タンクカバー３に設けられた座金２４から保持ロッド２２の先端を外し、燃料タンクカバー３を閉める際に、ブラケット２１のフィラーキャップ受け部８にフィラーキャップ４が残っているかどうかを確認することができる結果、フィラーキャップ４の燃料タンク１への装着忘れを未然に防止することができる。
【００３５】
また、図９は本発明の第三の実施の形態に係る建設機械３０の構成を示す斜視図である。
【００３６】
図９を参照して、図示の本発明の第三の実施の形態に係る建設機械３０は、建設機械３０本体の後端に取り付けられるカウンターウェイト３１を有し、フィラーキャップ受け部８は、そのカウンターウェイト３１に一体成形される溝部で構成されている。
【００３７】
上記カウンターウェイト３１は、建設機械３０本体の後端に取り付けられて建設機械３０本体の前方に取り付けられるアーム部９の重量と均衡を取るためのものであり、鋳物で一体成形されている。
【００３８】
上記フィラーキャップ受け部８としての溝部は、給油口５から取り外されたフィラーキャップ４と係合してそのフィラーキャップ４を保持し得るようなフィラーキャップ４の形状に対応した溝状に形成されたものである。
【００３９】
また、図１０は本発明の第三の実施の形態に係る建設機械３０のフィラーキャップ受け部８の変形例を示す斜視図である。
【００４０】
図１０を参照して、図示の本発明の第三の実施の形態に係る建設機械３０のフィラーキャップ受け部８の変形例は、建設機械３０本体の後端に取り付けられるカウンターウェイト３１に設けられた一対の水平断面コの字状の凸部によりフィラーキャップ４と係合してそのフィラーキャップ４を保持し得るような形状に形成されている。そしてこの凸部からなるフィラーキャップ受け部８は、溝部からなるフィラーキャップ受け部８と同様にカウンターウェイト３１に一体成形されている。
【００４１】
これら本発明の第三の実施の形態に係る建設機械３０およびその変形例によれば、溝部や凸部からなるフィラーキャップ受け部８が、建設機械３０本体の後端に取り付けられるカウンターウェイト３１に一体成形されているので、カウンターウェイト３１の鋳型を変更するだけで、燃料タンク１、その他に新たな部材を追加することなく安価に建設機械３０を実現することができる。
【００４２】
上述した実施の形態は本発明の好ましい具体例を例示したものに過ぎず、本発明は上述した実施の形態に限定されない。
【００４３】
例えば、燃料タンク１に設けられた給油口５の近傍に配置された部材としては、必ずしも図示のように、燃料タンク１の上面をカバーする燃料タンク１の天板７、ブラケット２１あるいはカウンターウェイト３１に限定されない。タンク収容部２の内外にあって燃料タンク１に隣接する機器の上面など、給油口５の近傍に配置され、燃料タンク１の給油口５から取り外されたフィラーキャップ４と係合してそのフィラーキャップ４を保持し得るものであれば、種々の設計変更が可能である。
【００４４】
また、フィラーキャップ受け部８を設ける部材として、鋳物製のカウンターウェイト３１を例に挙げて説明したが、内部に重量物を充填する鋼板製のカウンターウェイトの表面にフィラーキャップ受け部８を設けることも可能である。
【００４５】
また、フィラーキャップ４としては、必ずしも図示のように鍵穴４ａに鍵を挿入してロック位置からロック解除位置に回動させることにより、燃料タンク１から取り外すことができる型式のものに限らず、種々の設計変更が可能である。また、鍵穴４ａや、鍵も必須ではない。
【００４６】
さらに、ブラケット２１も必ずしも図示の形状に限定されない。フィラーキャップ４を保持する形状であれば、鋼板を曲折したものに限らずどのような形状でも採用可能である。
【００４７】
例えば、フィラーキャップ４は必ずしも係合して保持される必要はなく、例えばカウンターウェイト３１等の一部にフィラーキャップ４を載置する平面部分、すなわち載置スペースを設ける構成でもよい。この載置スペースとしては、フィラーキャップ４を保持可能なように凹ませる構成が望ましい。この場合、フィラーキャップ４を係合保持する場合に比べて保持力は低下するが、フィラーキャップ４を載置スペースに置き易いという効果がある。
【００４８】
その他、本発明の特許請求の範囲内で種々の設計変更が可能であることはいうまでもない。
【００４９】
【発明の効果】
以上説明したように、本発明によれば、フィラーキャップを給油時に確実に保持することにより、落下させて紛失させたり、汚したりするトラブルを解消することのできる建設機械を提供することができるという顕著な効果を奏する。
【図面の簡単な説明】
【図１】本発明の第一の実施形態に係る建設機械の構成を示す斜視図である。
【図２】本発明の第一の実施形態に係る建設機械の燃料タンクに設けられたフィラーキャップ受け部の構成を示す斜視図である。
【図３】本発明の実施の形態に係る建設機械のフィラーキャップの構成を示す説明図であり、（ａ）は、上面図、（ｂ）は、側面図をそれぞれ示している。
【図４】第一の実施形態に係る建設機械のフィラーキャップ受け部のフィラーキャップに対する作用を示す斜視図である。
【図５】図４の側面図である。
【図６】本発明の第一の実施形態に係る燃料タンクのフィラーキャップ受け部の変形例を示す斜視図である。
【図７】本発明の第一の実施形態に係る建設機械のフィラーキャップ受け部およびその変形例の燃料タンクカバーに対する作用を示す説明図であり、（ａ）は、燃料タンクカバーが開の状態を示す側面図、（ｂ）は、燃料タンクカバーがフィラーキャップにより閉の状態を阻止されている状態を示す側面図である。
【図８】図８は本発明の第二の実施形態に係る建設機械を示す斜視図である。
【図９】本発明の第三の実施の形態に係る建設機械の構成を示す斜視図である。
【図１０】本発明の第三の実施の形態に係る建設機械のフィラーキャップ受け部の変形例を示す斜視図である。
【符号の説明】
１            燃料タンク
２            タンク収容部
３            燃料タンクカバー
４            フィラーキャップ
５            給油口
７            天板
８            フィラーキャップ受け部
１０、２０、３０                建設機械
２１        ブラケット
２２        保持ロッド
２３        ロッド支持機構
３１        カウンターウェイト
【図１】
2004299414.tif 000003
【図２】
2004299414.tif 000004
【図３】
2004299414.tif 000005
【図４】
2004299414.tif 000006
【図５】
2004299414.tif 000007
【図６】
2004299414.tif 000008
【図７】
2004299414.tif 000009
【図８】
2004299414.tif 000010
【図９】
2004299414.tif 000011
【図１０】
2004299414.tif 000012